(57)【要約】【課題】  フリッカーの発生を低減するプラズマディスプレイパネルの画像表示方法およびその装置に関する。【解決手段】  本発明は，入力される映像信号データを二つの連続的な第１，第２サブフィールドグループＧ１，Ｇ２で構成する。この時，第１サブフィールドグループに含まれたサブフィールドの個数が第２サブフィールドグループに含まれたサブフィールドの個数より多い場合，上記入力映像信号の負荷率が一定の基準値以上であるか以下であるかに応じて第１および第２サブフィールドグループの開始時点または終了時点を固定する。かかる構成により，各フレーム内の第１グループのサブフィールドおよび第２グループのサブフィールドの休止期間を変化させて各グループ間の発光中心位置を周期的に変動させることにより，フリッカーの発生を著しく低減することができる。【選択図】    図５
2005107544.tif 000002
【特許請求の範囲】
【請求項１】
入力映像信号に応じてプラズマディスプレイパネルに表示される各フレームの画像を複数個のサブフィールドに分け，前記複数個のサブフィールドの輝度加重値を組み合わせて階調を表現するプラズマディスプレイパネルの画像表示方法において：
前記複数個のサブフィールドが複数のサブフィールドを有する第１サブフィールドグループおよび前記第１サブフィールドグループより少ないサブフィールドを有する第２サブフィールドグループを含んで階調を表現し，
（ａ）前記入力映像信号の負荷率が一定の基準値以下である場合には，前記第１サブフィールドグループの開始時点および前記第２サブフィールドグループの終了時点を固定して，前記負荷率によってサステイン個数を印加する段階と;
（ｂ）前記入力映像信号の負荷率が一定の基準値以上である場合には，前記第１サブフィールドグループの終了時点および前記第２サブフィールドグループの終了時点を固定して，前記負荷率によってサステイン個数を印加する段階と;
を含むことを特徴とする，プラズマディスプレイパネルの画像表示方法。
【請求項２】
前記一定の基準値は，各フレームの前記第１，第２サブフィールドグループの発光中心位置が周期的な場合の，入力映像信号の負荷率であることを特徴とする，請求項１に記載のプラズマディスプレイパネルの画像表示方法。
【請求項３】
前記入力映像信号の負荷率が一定の基準値以下である場合には，前記入力映像信号の負荷率によって前記第１サブフィールドグループの終了時点および第２サブフィールドグループの開始時点位置する休止期間が変化することを特徴とする，請求項２に記載のプラズマディスプレイパネルの画像表示方法。
【請求項４】
前記入力映像信号の負荷率が一定の基準値以上である場合には，前記入力映像信号の負荷率によって第１サブフィールドグループの開始時点および第２サブフィールドグループの開始時点位置する休止期間が変化することを特徴とする，請求項２または３のいずれかに記載のプラズマディスプレイパネルの画像表示方法。
【請求項５】
前記入力映像信号の負荷率が増加するのに応じて前記休止期間が増加することを特徴とする，請求項２から４のいずれかに記載のプラズマディスプレイパネルの画像表示方法。
【請求項６】
前記第２サブフィールドグループの終了時点に位置する休止期間は変化しないことを特徴とする，請求項１から５のいずれかに記載のプラズマディスプレイパネルの画像表示方法。
【請求項７】
前記入力映像信号の負荷率が一定の基準値である場合の前記第１サブフィールドグループの終了時点に位置する休止期間と，前記入力映像信号の負荷率が一定の基準値以上である場合の第１サブフィールドグループの終了時点に位置する休止期間とが同一であることを特徴とする，請求項１または２のいずれかに記載のプラズマディスプレイパネルの画像表示方法。
【請求項８】
前記第１サブフィールドグループは，前記複数個のサブフィールドの各輝度加重値の中でＬＳＢ（Ｌｅａｓｔ
Ｓｉｇｎｉｆｉｃａｎｔ Ｂｉｔ）およびＬＳＢ+１に該当する加重値を有するサブフィールドを含むことを特徴とする，請求項１に記載のプラズマディスプレイパネルの画像表示方法。
【請求項９】
入力映像信号に応じてプラズマディスプレイパネルに表示される各フレームの画像を複数個のサブフィールドに分け，前記複数個のサブフィールドの輝度加重値を組み合わせて階調を表現する，プラズマディスプレイパネルの画像表示方法において：
前記複数個のサブフィールドが複数のサブフィールドを有する第１サブフィールドグループおよび前記第１サブフィールドグループより多くのサブフィールドを有する第２サブフィールドグループを含んで階調を表現し，
（ａ）前記入力映像信号の負荷率が一定の基準値以下である場合には，前記第１サブフィールドグループの終了時点および前記第２サブフィールドグループの開始時点を固定して，前記負荷率によってサステイン個数を印加する段階と;
（ｂ）前記入力映像信号の負荷率が一定の基準値以上である場合には，前記第１サブフィールドグループの終了時点および前記第２サブフィールドグループの終了時点を固定して，前記負荷率によってサステイン個数を印加する段階と;
を含むことを特徴とする，プラズマディスプレイパネルの画像表示方法。
【請求項１０】
前記一定の基準値は，各フレームの前記第１，第２サブフィールドグループの発光中心位置が周期的な場合の，入力映像信号の負荷率であることを特徴とする，請求項９に記載のプラズマディスプレイパネルの画像表示方法。
【請求項１１】
前記入力映像信号の負荷率が一定の基準値以下である場合には，前記入力映像信号の負荷率によって前記第１サブフィールドグループの開始時点および第２サブフィールドグループの終了時点に位置する休止期間が変化することを特徴とする，請求項１０に記載のプラズマディスプレイパネルの画像表示方法。
【請求項１２】
前記入力映像信号の負荷率が一定の基準値以上である場合には，前記入力映像信号の負荷率によって第１サブフィールドグループの開始時点および第２サブフィールドグループの開始時点に位置する休止期間が変化することを特徴とする，請求項１０または１１のいずれかに記載のプラズマディスプレイパネルの画像表示方法。
【請求項１３】
前記第１サブフィールドグループの終了時点に位置する休止期間は変化しないことを特徴とする，請求項９から１２のいずれかに記載のプラズマディスプレイパネルの画像表示方法。
【請求項１４】
入力映像信号に対応するプラズマディスプレイパネルに表示される各フレームの画像を複数個のサブフィールドに分けて，前記複数個のサブフィールドの輝度加重値を組み合わせて階調を表現する，プラズマディスプレイパネルの画像表示装置において：
前記入力映像信号をデジタル化してデジタル映像データを生成する映像信号処理部と;
前記映像信号処理部から出力されるデジタル映像データを分析して入力される映像データがＰＡＬ映像信号であるか否かを検出し，その結果をデータスイッチ値として前記デジタル映像データと共に出力する垂直周波数検出部と;
前記垂直周波数検出部から出力されるデジタル映像データおよびデータスイッチ値を受信して，前記データスイッチ値に対応するサブフィールドデータおよびアドレスデータを生成し，前記映像データがＰＡＬ映像信号である場合には二つの連続的な第１，第２サブフィールドグループから構成されるサブフィールドデータを生成してプラズマディスプレイパネルに印加するメモリ制御部と;
前記デジタル映像データの負荷率を検出し，検出された負荷率によってＡＰＣ（Ａｕｔｏｍａｔｉｃ
Ｐｏｗｅｒ Ｃｏｎｔｒｏｌ）レベルを計算して，計算されたＡＰＣレベルに対応するサステインパルス数を算出して出力するＡＰＣ部と;
前記ＡＰＣ部から出力される負荷率によって各サブフィールドの可変範囲を判断し，前記負荷率が一定の基準値以下であるかまたは以上であるかに応じて，前記第１，第２サブフィールドグループの開始時点または終了時点のうちの固定される時点を決定して，各サブフィールドの開始位置を決定するサブフィールド可変範囲判断部と;
前記サブフィールド可変範囲判断部から出力されるサステインパルス数，各サブフィールドのアドレスパルス幅，各サブフィールドの開始位置，およびデータスイッチ値を受信して，前記データスイッチ値によって各々のサブフィールドの配列構造を生成し，生成されたサブフィールドの配列構造に基づく制御信号を生成してプラズマディスプレイパネルに印加する維持／走査パルス駆動部と;
を含むことを特徴とする，プラズマディスプレイパネルの画像表示装置。
【請求項１５】
前記第１サブフィールドグループに含まれたサブフィールドの個数が前記第２サブフィールドグループに含まれたサブフィールドの個数より多いことを特徴とする，請求項１４に記載のプラズマディスプレイパネルの画像表示装置。
【請求項１６】
前記可変範囲判断部は，前記入力映像信号の負荷率が一定の基準値以下である場合には，前記第１サブフィールドグループの開始時点および前記第２サブフィールドグループの終了時点を固定することを特徴とする，請求項１４に記載のプラズマディスプレイパネルの画像表示装置。
【請求項１７】
前記可変範囲判断部は，前記入力映像信号の負荷率が一定の基準値以上である場合には，前記第１サブフィールドグループの終了時点および前記第２サブフィールドグループの終了時点を固定して，各サブフィールドの開始位置を決定することを特徴とする，請求項１４または１６のいずれかに記載のプラズマディスプレイパネルの画像表示装置。
【請求項１８】
前記第１サブフィールドグループに含まれたサブフィールドの個数が前記第２サブフィールドグループに含まれたサブフィールドの個数より少ないことを特徴とする，請求項１４に記載のプラズマディスプレイパネルの画像表示装置。
【請求項１９】
前記可変範囲判断部は，前記入力映像信号の負荷率が一定の基準値以下である場合には，前記第１サブフィールドグループの終了時点および前記第２サブフィールドグループの開始時点を固定し，前記入力映像信号の負荷率が一定の基準値以上である場合には，前記第１サブフィールドグループの終了時点および前記第２サブフィールドグループの終了時点を固定して，各サブフィールドの開始位置を決定することを特徴とする，請求項１８に記載のプラズマディスプレイパネルの画像表示装置。
【発明の詳細な説明】
【技術分野】
【０００１】
本発明は，プラズマディスプレイパネル（ＰＤＰ）の画像表示方法およびその装置に関し，特に，５０ＨｚのＰＡＬ（Ｐｈａｓｅ
Ａｌｔｅｒｎａｔｉｎｇ ｂｙ Ｌｉｎｅ）映像信号を入力して画像を表示する場合に発生するフリッカーを低減可能な，プラズマディスプレイパネルの画像表示方法およびその装置に関する。
【背景技術】
【０００２】
最近，液晶表示装置（ＬＣＤ），電界放出表示装置（ＦＥＤ），プラズマディスプレイパネル（ＰＤＰ）などの平面表示装置が活発に開発されている。これらの平面表示装置の中でも，プラズマディスプレイパネルは，他の平面表示装置に比べて輝度および発光効率が高くて視野角が広いという長所がある。従って，プラズマディスプレイパネルは，４０インチ以上の大型表示装置の分野において，従来の陰極線管（ＣＲＴ）に代替される表示装置として脚光を浴びている。
【０００３】
プラズマディスプレイパネルは，気体放電によって生成されたプラズマを利用して文字または映像を表示する平面表示装置であって，その大きさによって数十から数百万個以上の画素がマトリックス形態に配列されている。このようなプラズマディスプレイパネルは，印加される駆動電圧波形の形態および放電セルの構造によって直流型と交流形とに区分される。
【０００４】
このようなプラズマディスプレイパネルにおいては，カラー表示素子としての機能を発揮するために階調表現が可能でなければならず，これを実現する方法として，１フィールドを複数個のサブフィールドに分けて，これを時分割制御する階調表現方法が用いられている。
【０００５】
一方，プラズマディスプレイパネルでは，階調を表現する際にフリッカーが発生するが，これは人間の視覚特性と密接な関連があり，一般に，画面が大きいほど，または周波数が低いほど，フリッカーが目につきやすい。プラズマディスプレイパネルでＰＡＬ映像信号の画像を表示する場合，上記二つの条件が満たされるため多量のフリッカーが発生する。
【０００６】
従って，プラズマディスプレイパネルに用いられる通常のサブフィールドの配列構造である最少増加配列または最少減少配列を利用して，垂直周波数５０Ｈｚでプラズマディスプレイパネルを駆動すると多量のフリッカーが発生することになる。
【０００７】
上記のようにフリッカーが発生する二つの条件のうち，画面の大きさを調整することは不可能であるから，周波数を調整する方法によってフリッカーの発生を低減する。
【０００８】
このように，周波数を調整してフリッカーの発生を低減するための従来の方法として，例えば特許文献１がある。この特許文献１では，５０Ｈｚ映像信号を利用してプラズマディスプレイパネルを駆動する時に発生する大画面のフリッカーを低減するために，添付した図１に示されているように，１フレーム内のサブフィールドを２つのグループ（Ｇ１，Ｇ２）に分けている。そして，各グループがＬＳＢ（Ｌｅａｓｔ
Ｓｉｇｎｉｆｉｃａｎｔ Ｂｉｔ）サブフィールドを除く残りのサブフィールドの配列構造が同一になるように設定されたり，または各グループのサブフィールドに輝度比重値（ｗｅｉｇｈｔ）を同程度に分配したりすることを特徴とする。このような方法は，フリッカーの発生を低減することに関して，従来の最少増加配列または最少減少配列などのサブフィールドの配列構造に比べて効果が非常に大きい。
【０００９】
図１を参照すると，１フレームの期間の総計は２０ｍｓであり，グループＧ１，Ｇ２の期間は各々１０ｍｓに固定される。休止期間としては二つが存在し，一つはフレーム期間の終端，つまり第２グループＧ２の終端に位置し，もう一つは二つのグループＧ１，Ｇ２の間，つまり第１グループＧ１の終端に位置している。
【００１０】
図２は，従来のサブフィールド配列構造を利用して一部の低階調を表現した例を示す図面である。
【００１１】
図２に示されているように，低階調，例えば０〜１１の低階調を従来のサブフィールドの配列構造を利用して表現する場合，ＬＳＢおよびＬＳＢ+１に該当するサブフィールド間の時間差が数ｍｓ程度となる。
【００１２】
例えば，低階調３である場合，第１グループＧ１の最下位のサブフィールドＳＦ１がオンされて第２グループＧ２の最下位のサブフィールドＳＦ１がオンされる。この場合，第１グループＧ１のサブフィールドがＬＳＢのサブフィールドとなり，第２グループＧ２のサブフィールドがＬＳＢ+１のサブフィールドとなって，これらのサブフィールド間の時間差は１０ｍｓであるので，その差が非常に大きくなる。
【００１３】
このように，特許文献１に記載の発明のサブフィールドの配列構造によって誤差拡散を適用して低階調を表現する場合，ＬＳＢおよびＬＳＢ+１に該当するサブフィールド間の時間差が数ｍｓ程度と大きくなり，このような時間差を有する発光の持続時間が短いため，人間の視覚に認識されて画像が移動する場合に，階調と階調との境界で激しい疑似輪郭が発生するという問題点がある。添付した図３は，特許文献１に記載の発明で隣接階調が４および３である場合であって，画像が移動する時に発生する疑似輪郭の発生を示した概略図である。図３に示されているように，特許文献１に記載の発明における隣接階調が各々４および３である場合に，画像が移動する時に疑似輪郭が発生する地点は総計で５つの地点となる。源階調のうちの最高階調４と歪曲された階調との差は発生地点によって各々２，１，３，２，１.５である。このような差が発生した疑似輪郭の発生強度を示す。画像の移動時にこのように歪曲された階調はカラー（ｃｏｌｏｒ）の捩れとして現れて，人間の視覚には輪郭の形状を有するカラーの捩れとして見えるようになる。
【００１４】
一方，プラズマディスプレイパネルでは，その駆動特性上，消費電力が高いので，表示されるフレームの負荷率（平均信号レベルまたはｌｏａｄ
ｒａｔｉｏ）によって消費電力を制御する自動電力制御（Ａｕｔｏｍａｔｉｃ Ｐｏｗｅｒ Ｃｏｎｔｒｏｌ：以下ＡＰＣという。）技法が用いられる。このようなＡＰＣ技法は，入力映像データの負荷率によってＡＰＣレベルを異ならせ，各ＡＰＣレベル別にサステインパルス数を変化させながら消費電力を一定のレベル以下に制限する方法である。
【００１５】
このようなＡＰＣ技法によると，負荷率によって各サブフィールドに適用されるサステインパルス数が変化する。つまり，負荷率によって各グループ（Ｇ１，Ｇ２）中に印加されるサステインパルス総数が変化し，これにより，各サブフィールドはそのサブフィールドが有している輝度比重値に該当するだけのサステインパルス数を有するので，結局，各サブフィールドに適用されるサステインパルス数も変化する。
【００１６】
図４は従来ＰＤＰのサブフィールドの配列構造におけるＡＰＣレベル別のサブフィールド位置および発光中心位置を示した図面である。この図４うち（ａ）はＡＰＣレベルが最少である場合を示し，（ｂ）はＡＰＣレベルが最大である場合を示している。
【００１７】
図４の（ａ）および（ｂ）に示されているように，ＡＰＣレベルが最少および最大である場合の全ての各グループ（Ｇ１，Ｇ２）の発光中心位置間の時間間隔（ＴＩＭＥ
Ｇ１Ｇ２，ＴＩＭＥ Ｇ２Ｇ１）は，全て同一であり，ＡＰＣレベルの変化による第１グループＧ１および第２グループＧ２の発光中心位置は，様々な階調領域で周期性を有する。従って，従来のＰＤＰのサブフィールドの配列構造ではフリッカーの発生量が少ない。
【００１８】
しかし，図４の（ｃ）に示されているように，ＡＰＣレベルに関係なく一部の階調を形成（表現）する際に，第１グループＧ１のサブフィールド占有期間が第２グループＧ２のサブフィールド占有期間より大きい場合，オン（ｏｎ）される第１グループＧ１の最上位のサブフィールドおよび第２グループＧ２の最上位のサブフィールド位置が変動する。図４の（ｃ）を参照すれば，第１グループＧ１の発光中心位置と第２グループＧ２の発光中心位置との間の時間間隔（ＴＩＭＥＧ１Ｇ２）が第２グループＧ２の発光中心位置と次のフレームの第１グループＧ１の発光中心位置との間の時間間隔（ＴＩＭＥＧ２Ｇ１）より小さくなり，結果的に，各グループ（Ｇ１，Ｇ２）の発光中心位置が周期性を失うようになってフリッカーが生じることとなる。
【００１９】
【特許文献１】大韓民国公開特許第２０００-１６９５５号
【発明の開示】
【発明が解決しようとする課題】
【００２０】
本発明は，上記問題点を解決するためのものであって，５０ＨｚのＰＡＬ映像信号用のサブフィールドの配列構造によって駆動する際，映像フレームの負荷率によってサブフィールド内の休止期間を変化させ，サブフィールドグループ間の発光中心位置を周期的に維持し，フリッカーの発生を低減することが可能な，新規かつ改良されたプラズマディスプレイパネルの画像表示方法およびその装置を提供することにある。
【課題を解決するための手段】
【００２１】
上記課題を解決するために，本発明のある観点によれば，入力映像信号に応じてプラズマディスプレイパネルに表示される各フレームの画像を複数個のサブフィールドに分け，上記複数個のサブフィールドの輝度加重値を組み合わせて階調を表現するプラズマディスプレイパネルの画像表示方法において：上記複数個のサブフィールドが複数のサブフィールドを有する第１サブフィールドグループおよび上記第１サブフィールドグループより少ないサブフィールドを有する第２サブフィールドグループを含んで階調を表現し，（ａ）上記入力映像信号の負荷率が一定の基準値以下である場合には，上記第１サブフィールドグループの開始時点および上記第２サブフィールドグループの終了時点を固定して，上記負荷率によってサステイン個数を印加する段階と;（ｂ）上記入力映像信号の負荷率が一定の基準値以上である場合には，上記第１サブフィールドグループの終了時点および上記第２サブフィールドグループの終了時点を固定して，上記負荷率によってサステイン個数を印加する段階と;を含むことを特徴とする，プラズマディスプレイパネルの画像表示方法が提供される。
【００２２】
上記一定の基準値は，各フレームの上記第１，第２サブフィールドグループの発光中心位置が周期的な場合の，入力映像信号の負荷率であるとしても良い。
【００２３】
上記入力映像信号の負荷率が一定の基準値以下である場合には，上記入力映像信号の負荷率によって上記第１サブフィールドグループの終了時点および第２サブフィールドグループの開始時点位置する休止期間が変化するとしても良い。
【００２４】
上記入力映像信号の負荷率が一定の基準値以上である場合には，上記入力映像信号の負荷率によって第１サブフィールドグループの開始時点および第２サブフィールドグループの開始時点位置する休止期間が変化するとしても良い。
【００２５】
上記入力映像信号の負荷率が増加するのに応じて上記休止期間が増加するとしても良い。
【００２６】
上記第２サブフィールドグループの終了時点に位置する休止期間は変化しないとしても良い。
【００２７】
上記入力映像信号の負荷率が一定の基準値である場合の上記第１サブフィールドグループの終了時点に位置する休止期間と，上記入力映像信号の負荷率が一定の基準値以上である場合の第１サブフィールドグループの終了時点に位置する休止期間とが同一であるとしても良い。
【００２８】
上記第１サブフィールドグループは，上記複数個のサブフィールドの各輝度加重値の中でＬＳＢ（Ｌｅａｓｔ
Ｓｉｇｎｉｆｉｃａｎｔ Ｂｉｔ）およびＬＳＢ+１に該当する加重値を有するサブフィールドを含むとしても良い。
【００２９】
上記課題を解決するために，本発明の他の観点によれば，入力映像信号に応じてプラズマディスプレイパネルに表示される各フレームの画像を複数個のサブフィールドに分け，上記複数個のサブフィールドの輝度加重値を組み合わせて階調を表現する，プラズマディスプレイパネルの画像表示方法において：上記複数個のサブフィールドが複数のサブフィールドを有する第１サブフィールドグループおよび上記第１サブフィールドグループより多くのサブフィールドを有する第２サブフィールドグループを含んで階調を表現し，（ａ）上記入力映像信号の負荷率が一定の基準値以下である場合には，上記第１サブフィールドグループの終了時点および上記第２サブフィールドグループの開始時点を固定して，上記負荷率によってサステイン個数を印加する段階と;（ｂ）上記入力映像信号の負荷率が一定の基準値以上である場合には，上記第１サブフィールドグループの終了時点および上記第２サブフィールドグループの終了時点を固定して，上記負荷率によってサステイン個数を印加する段階と;を含むことを特徴とする，プラズマディスプレイパネルの画像表示方法も提供される。
【００３０】
上記一定の基準値は，各フレームの上記第１，第２サブフィールドグループの発光中心位置が周期的な場合の，入力映像信号の負荷率であるとしても良い。
【００３１】
上記入力映像信号の負荷率が一定の基準値以下である場合には，上記入力映像信号の負荷率によって上記第１サブフィールドグループの開始時点および第２サブフィールドグループの終了時点に位置する休止期間が変化するとしても良い。
【００３２】
上記入力映像信号の負荷率が一定の基準値以上である場合には，上記入力映像信号の負荷率によって第１サブフィールドグループの開始時点および第２サブフィールドグループの開始時点に位置する休止期間が変化するとしても良い。
【００３３】
上記入力映像信号の負荷率が増加するのに応じて上記休止期間が増加するとしても良い。
【００３４】
上記第１サブフィールドグループの終了時点に位置する休止期間は変化しないとしても良い。
【００３５】
上記入力映像信号の負荷率が一定の基準値である場合の上記第２サブフィールドグループの終了時点に位置する休止期間と，上記入力映像信号の負荷率が一定の基準値以上である場合の第２サブフィールドグループの終了時点に位置する休止期間とが同一であるとしても良い。
【００３６】
上記第２サブフィールドグループは，上記複数個のサブフィールドの各輝度加重値の中でＬＳＢ（Ｌｅａｓｔ
Ｓｉｇｎｉｆｉｃａｎｔ Ｂｉｔ）およびＬＳＢ+１に該当する加重値を有するサブフィールドを含むとしても良い。
【００３７】
上記課題を解決するために，本発明のさらに他の観点によれば，入力映像信号に対応するプラズマディスプレイパネルに表示される各フレームの画像を複数個のサブフィールドに分けて，上記複数個のサブフィールドの輝度加重値を組み合わせて階調を表現する，プラズマディスプレイパネルの画像表示装置において：上記入力映像信号をデジタル化してデジタル映像データを生成する映像信号処理部と;上記映像信号処理部から出力されるデジタル映像データを分析して入力される映像データがＰＡＬ映像信号であるか否かを検出し，その結果をデータスイッチ値として上記デジタル映像データと共に出力する垂直周波数検出部と;上記垂直周波数検出部から出力されるデジタル映像データおよびデータスイッチ値を受信して，上記データスイッチ値に対応するサブフィールドデータおよびアドレスデータを生成し，上記映像データがＰＡＬ映像信号である場合には二つの連続的な第１，第２サブフィールドグループから構成されるサブフィールドデータを生成してプラズマディスプレイパネルに印加するメモリ制御部と;上記デジタル映像データの負荷率を検出し，検出された負荷率によってＡＰＣ（Ａｕｔｏｍａｔｉｃ
Ｐｏｗｅｒ Ｃｏｎｔｒｏｌ）レベルを計算して，計算されたＡＰＣレベルに対応するサステインパルス数を算出して出力するＡＰＣ部と;上記ＡＰＣ部から出力される負荷率によって各サブフィールドの可変範囲を判断し，上記負荷率が一定の基準値以下であるかまたは以上であるかに応じて，上記第１，第２サブフィールドグループの開始時点または終了時点のうちの固定される時点を決定して，各サブフィールドの開始位置を決定するサブフィールド可変範囲判断部と;
上記サブフィールド可変範囲判断部から出力されるサステインパルス数，各サブフィールドのアドレスパルス幅，各サブフィールドの開始位置，およびデータスイッチ値を受信して，上記データスイッチ値によって各々のサブフィールドの配列構造を生成し，生成されたサブフィールドの配列構造に基づく制御信号を生成してプラズマディスプレイパネルに印加する維持／走査パルス駆動部と;を含むことを特徴とする，プラズマディスプレイパネルの画像表示装置が提供される。
【００３８】
上記第１サブフィールドグループに含まれたサブフィールドの個数が上記第２サブフィールドグループに含まれたサブフィールドの個数より多いとしても良い。
【００３９】
上記可変範囲判断部は，上記入力映像信号の負荷率が一定の基準値以下である場合には，上記第１サブフィールドグループの開始時点および上記第２サブフィールドグループの終了時点を固定するとしても良い。
【００４０】
上記可変範囲判断部は，上記入力映像信号の負荷率が一定の基準値以上である場合には，上記第１サブフィールドグループの終了時点および上記第２サブフィールドグループの終了時点を固定して，各サブフィールドの開始位置を決定するとしても良い。
【００４１】
上記第１サブフィールドグループに含まれたサブフィールドの個数が上記第２サブフィールドグループに含まれたサブフィールドの個数より少ないとしても良い。
【００４２】
上記可変範囲判断部は，上記入力映像信号の負荷率が一定の基準値以下である場合には，上記第１サブフィールドグループの終了時点および上記第２サブフィールドグループの開始時点を固定し，上記入力映像信号の負荷率が一定の基準値以上である場合には，上記第１サブフィールドグループの終了時点および上記第２サブフィールドグループの終了時点を固定して，各サブフィールドの開始位置を決定するとしても良い。
【発明の効果】
【００４３】
以上説明したように本発明によれば，ＡＰＣレベルによって各フレーム内の第１グループのサブフィールドおよび第２グループのサブフィールドの休止期間を変化して，各グループ間の発光中心位置を周期的に変動させ，フリッカーの発生を著しく低減することができる。
【発明を実施するための最良の形態】
【００４４】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００４５】
本発明の実施形態によるプラズマディスプレイパネルの画像表示装置およびその画像処理方法について，図面を参考にして詳細に説明する。
【００４６】
図５は，本発明の第１実施形態によるサブフィールドの配列構造を示した図面である。
【００４７】
図５に示されているように，本発明の第１実施形態によるフレームは，二つの個別的なサブフィールドグループ（Ｇ１，Ｇ２）からなる。また，休止期間（休止期間３，休止期間４）も二つからなり，各グループ（Ｇ１，Ｇ２）の終端に位置している。
【００４８】
第１グループＧ１は８個のサブフィールドからなり，各輝度比重値は下位のサブフィールドから１，２，４，８，１６，２４，３２，４０に設定されるが，使用形態に応じて当業者によって変更される。第２グループＧ２は６個のサブフィールドからなり，各輝度比重値は下位のサブフィールドから４，８，１６，２４，３２，４０に設定される。しかし，かかる設定に限られず，第１グループＧ１に設定された輝度比重値によって当業者によって変更することも可能である。この時，第１グループＧ１のサブフィールドの配列構造は，第２グループＧ２のサブフィールドの配列構造に対して，１および２の輝度比重値を有するＬＳＢ，ＬＳＢ+１のサブフィールドが隣接されるように追加された構造になっている。
【００４９】
ここで，第１グループＧ１は，フレームの開始位置，つまり０ｍｓから始まって負荷率が最少でありＡＰＣが作動しない場合の休止期間（休止期間３）を含む総期間（ＴｉｍｅＡ）が１０ｍｓより大きく設定される。従って，第２グループＧ２は，休止期間（休止期間４）を含む総期間（ＴｉｍｅＢ）が１０ｍｓより少なく設定され，ＴｉｍｅＡ>ＴｉｍｅＢとなる。
【００５０】
図６は，本発明の第１実施形態によるサブフィールドの配列構造を利用して一部の低階調を表現した例を示した図面である。
【００５１】
図６に示されているように，低階調，例えば０〜１１の低階調を本発明の第１実施形態によるサブフィールドの配列構造を利用して表現する場合，輝度比重１および２，つまりＬＳＢおよびＬＳＢ+１に該当するサブフィールド間の時間差は無視できる程度に小さくなる。
【００５２】
例えば，低階調３である場合，第１グループＧ１の最下位のサブフィールドＳＦ１およびＳＦ２がオンされる。この場合，オンされるサブフィールドＳＦ１およびＳＦ２が全て第１グループＧ１内にあるので，これらのサブフィールド間の時間差は殆どない。
【００５３】
このように低階調を表現する場合，ＬＳＢおよびＬＳＢ+１に該当するサブフィールドを第１グループＧ１の開始時点に隣接するように配列すれば，ＬＳＢおよびＬＳＢ+１に該当するサブフィールド間の時間差が殆どなくなり，人間の視覚に認識されて画像が移動する場合においても階調と階調との境界で発生する疑似輪郭が非常に低減される。
【００５４】
図７は，本発明の第１実施形態によるサブフィールドの配列構造において，隣接階調が４および３で，画像が移動する時に発生する疑似輪郭の発生を表す概略図である。
【００５５】
図７に示されているように，本発明の第１実施形態によるサブフィールドの配列構造では，隣接階調が各々４および３である場合に，画像が移動する時，疑似輪郭が発生する地点は，総計で２つの地点であり，源階調のうちの最高階調４と歪曲された階調との差は発生地点によって各々２，０．５である。これは，図３を参照して説明した従来のＰＤＰのサブフィールドの配列構造に比べて発生する疑似輪郭の個数が３つ減少し，歪曲された階調と源階調との差も１/４水準に減少することが分かる。
【００５６】
従って，本発明の第１実施形態によるサブフィールドの配列構造では，従来のＰＤＰのサブフィールドの配列構造の場合に比べて疑似輪郭の発生が非常に低減する。
【００５７】
しかし，上記本発明の第１実施形態によるサブフィールドの配列構造では，第１グループＧ１の総期間が第２グループの総期間より長いので，発光中心位置が周期的でないためにフリッカーが発生する問題点がある。
【００５８】
以下，このような問題点を具体的に調べて，これを改善するための方法について説明する。
【００５９】
まず，本発明の第１実施形態によるサブフィールドの配列構造でＡＰＣが行われる時のサブフィールド位置および発光中心位置について説明する。
【００６０】
図８は，図５に示されたサブフィールドの配列構造におけるＡＰＣレベル別のサブフィールド位置および発光中心位置を示した図面であり，図５の（ａ）はＡＰＣレベルが最少である場合であり，（ｂ）はＡＰＣレベルが最大である場合を示した図面である。
【００６１】
図８の（ａ）を参照すれば，ＡＰＣレベルが最少である場合の同一フレーム内の第１グループＧ１の発光中心位置と第２グループＧ２の発光中心位置との間の時間間隔は例えば９ｍｓであり，第２グループＧ２の発光中心位置と次のフレームの第１グループＧ１の発光中心位置との間の時間間隔は例えば１１ｍｓであるので，上記時間間隔９ｍｓに比べて多少大きい。
【００６２】
図８の（ｂ）を参照すれば，ＡＰＣが作動または最大になる場合の第１グループＧ１の発光中心位置と第２グループＧ２の発光中心位置との間の時間間隔は，図８の（ａ）に示されたＡＰＣレベルが最少である場合と同一であり，第２グループＧ２の発光中心位置と次のフレームの第１グループＧ１の発光中心位置との間の時間間隔も図８のａに示されたＡＰＣレベルが最少である場合と同一となる。
【００６３】
このようにＡＰＣが作動または最大になる場合，ＡＰＣレベルが最少である場合に比べて，第１グループＧ１および第２グループＧ２の各サブフィールド期間は減少し，反対に休止期間（休止期間３，休止期間４）は増加する。しかし，第２グループＧ２の開始時点は同一で，同一フレーム内の第１グループＧ１の発光中心位置と第２グループＧ２の発光中心位置との間の時間間隔は遠くなり，第２グループＧ２の発光中心位置と他のフレームの第１グループＧ１の発光中心位置との間の時間間隔は近づくため，結果的に，ＡＰＣレベルに関係なく各発光中心位置の時間間隔はＡＰＣレベルが最少である場合と同一になる。
【００６４】
従って，ＡＰＣレベルに関係なくサブフィールドの開始位置が固定され，つまり第２グループＧ２の開始時点がＡＰＣレベルに関係なくて固定されるので，各グループ（Ｇ１，Ｇ２）の発光中心位置が非周期的に形成され，フリッカーが発生する問題点がある。
【００６５】
このような問題点を解決するための本発明の第２実施形態によるサブフィールドの配列構造について，図９および図１０を参照して詳細に説明する。
【００６６】
図９は，本発明の第２実施形態によるサブフィールドの配列構造を示した図面であって，図９の（ａ）はＡＰＣレベルが最少である場合であり，（ｂ）はＡＰＣレベルが増加して一定の基準値（ｔｈｒｅｓｈｏｌｄ）以下である場合であり，（ｃ）は一定の基準値（ｔｈｒｅｓｈｏｌｄ）以上である場合である。
【００６７】
図９の（ａ）に示されているように，ＡＰＣレベルが最少である場合の本発明の第２実施形態によるサブフィールドの配列構造は，本発明の第１実施形態（図５参照）でのサブフィールドの配列構造と同一である。ただし，第２グループＧ２の開始時点に位置した休止期間（休止期間５）は，ＡＰＣレベルが最少である場合，負荷率が最少（つまり，最大維持放電パルスで表示される場合）であるため無視される。しかし，図９の（ａ）に示したように，正確には第２グループＧ２の占有期間（ＴｉｍｅＢ）には休止期間４だけでなく休止期間５も含まれる。
【００６８】
次に，ＡＰＣレベルが最少から次第に増加し，一定の基準値（ｔｈｒｅｓｈｏｌｄ）以下である場合，図９の（ｂ）に示したように，第１グループＧ１の後端に位置する休止期間（休止期間６）が次第に増加して，第２グループＧ２の前端に位置する休止期間（休止期間８）も次第に増加する。これは，第１グループＧ２のサブフィールドの開始位置を固定し，第２グループＧ２のサブフィールドの終了位置を固定することによって実現することができる。つまり，ＡＰＣレベルが次第に増加する場合，第１グループＧ１および第２グループＧ２のサブフィールド期間が減少するため，上記のように第１グループＧ１の後端に位置する休止期間（休止期間６）が次第に増加して，第２グループＧ２の前端に位置する休止期間（休止期間８）も次第に増加する。この時，休止期間７はＡＰＣが作動しない場合の休止期間４と同一か多少大きい程度に固定され，休止期間６および休止期間８は休止期間７の増加分を含んで増加するので，ＡＰＣが作動しない場合の休止期間３および休止期間５に比べて大きくなる。
【００６９】
上記図９の（ｂ）のように，ＡＰＣレベルの増加に応じて休止期間６および休止期間８が増加する場合には，第１グループＧ１の発光中心位置と第２グループＧ２の発光中心位置との間の時間間隔が遠くなって，第２グループＧ２の発光中心位置と次のフレームの第１グループＧ１の発光中心位置との間の時間間隔はＡＰＣレベルが低い場合より近づくので，結果的に，各サブフィールドグループ（Ｇ１，Ｇ２）間の発光中心位置が次第に同一になる。
【００７０】
上記図９の（ｂ）のように，ＡＰＣレベルが次第に増加するのに応じて各サブフィールドグループＧ１，Ｇ２間の発光中心位置が同一になる地点が上記一定の基準値（ｔｈｒｅｓｈｏｌｄ）のＡＰＣレベルになる。このような一定の基準値（ｔｈｒｅｓｈｏｌｄ）のＡＰＣレベルは実験等により決定される。
【００７１】
次にＡＰＣレベルが一定の基準値（ｔｈｒｅｓｈｏｌｄ）以上に増加した場合，図９の（ｃ）のような方法で第１グループのサブフィールドの終了位置を固定して，第１グループのサブフィールドの開始位置の休止期間（
休止期間１２）をＡＰＣレベルが増加するのに応じて次第に増加させる。この時，第２グループの場合には，図９の（ｂ）と同様に，第２グループの終了時点を固定して，第２グループのサブフィールドの開始位置の休止期間（休止期間１１）をＡＰＣレベルが増加するのに応じて次第に増加させる。この時，休止期間９は，ＡＰＣレベルが上記一定の基準値（ｔｈｒｅｓｈｏｌｄ）である地点の休止期間６と同一である。これによって，ＡＰＣレベルが一定の基準値以上になっても，各サブフィールドグループ（Ｇ１，Ｇ２）間の発光中心位置が同一に維持される。つまり，ＡＰＣレベルが一定の基準値（ｔｈｒｅｓｈｏｌｄ）以上になる場合には，第１グループのサブフィールドの終了位置を固定し，第２グループのサブフィールドの終了位置も固定することによって，各グループ（Ｇ１，Ｇ２）の発光中心位置をそのまま維持することができる。
【００７２】
図１０は，図９に示したサブフィールドの配列構造におけるＡＰＣレベル別のサブフィールド位置および発光中心位置を示した図面であり，図１０の（ａ）はＡＰＣレベルが最少である場合であり，（ｂ）はＡＰＣレベルが増加して一定の基準値（ｔｈｒｅｓｈｏｌｄ）以下である場合であり，（ｃ）は一定の基準値（ｔｈｒｅｓｈｏｌｄ）以上である場合である。
【００７３】
図１０の（ａ），（ｂ），および（ｃ）に示したように，ＡＰＣレベルが最少である場合に比べてＡＰＣレベルが増加する場合（つまり，ＡＰＣレベルが一定の基準値以下である場合と一定の基準値以上である場合）に第１グループＧ１および第２グループＧ２のサブフィールド期間が減少して休止期間は増加する。
【００７４】
この時，図１０の（ｂ）に示したように，ＡＰＣレベルが一定の基準値以下において増加する場合，第２グループＧ２の開始時点は，ＡＰＣレベルが低い時（つまり図１０の（ａ）の場合）より第１グループからさらに遠くなるように変化するので，同一フレーム内の第１グループＧ１の発光中心位置と第２グループＧ２の発光中心位置との間の時間間隔（ＴＩＭＥＧ１Ｇ２）はＡＰＣレベルが低い場合に比べて遠くなり，反対に，第２グループＧ２の発光中心位置と次のフレームの第１グループＧ１の発光中心位置との間の時間間隔（ＴＩＭＥ
Ｇ２Ｇ１）は，ＡＰＣレベルが低い場合（つまり，図１０の（ａ）の場合）に比べて近づくので，結果的に，各サブフィールドグループ間の時間間隔（ＴＩＭＥＧ１Ｇ２，ＴＩＭＥＧ２Ｇ１）が全体的に次第に同一な周期に変化する。
【００７５】
ここで，ＡＰＣレベルが一定の基準値（ｔｈｒｅｓｈｏｌｄ）である場合，各サブフィールドグループ間の時間間隔（ＴＩＭＥＧ１Ｇ２，ＴＩＭＥＧ２Ｇ１）は全て同一になる。
【００７６】
そして，ＡＰＣレベルが一定の基準値（ｔｈｒｅｓｈｏｌｄ）以下において値が増加する場合に，図１０の（ｃ）（つまり図９の（ｃ）のサブフィールドの配列構造の場合）に示したように，第１グループＧ１の開始時点の位置は，ＡＰＣレベルが増加するのに応じて同期信号からより遠くなる（つまり休止期間１２が増加する）。また，休止期間９はＡＰＣレベルが一定の基準値（ｔｈｒｅｓｈｏｌｄ）である場合の休止期間と同一に維持される。これにより，ＡＰＣレベルが増加するにもかかわらず，各サブフィールドの発光中心位置は，ＡＰＣレベルが一定の基準値である場合と同一に維持される。従って，ＡＰＣレベルが一定の基準値（ｔｈｒｅｓｈｏｌｄ）以上の値に増加する場合にも，各サブフィールドグループ間の時間間隔（ＴＩＭＥＧ１Ｇ２，ＴＩＭＥＧ２Ｇ１）が全体的に同一に維持される。
【００７７】
また，本発明の第１実施形態および第２実施形態のように第１グループのサブフィールドの個数が第２グループのサブフィールドの個数より多い場合に疑似輪郭およびフリッカーの発生を低減することができるが，第１グループのサブフィールドの個数が第２グループのサブフィールドの個数より少ない場合にも，このような方法を用いることを，図１１および図１２を参照して説明する。
【００７８】
図１１は，本発明の第３実施形態によるサブフィールドの配列構造を示した図面であって，図１１の（ａ）はＡＰＣレベルが最少である場合であり，（ｂ）はＡＰＣレベルが増加して一定の基準値（ｔｈｒｅｓｈｏｌｄ）以下である場合であり，（ｃ）は一定の基準値（ｔｈｒｅｓｈｏｌｄ）以上である場合である。
【００７９】
また，図１２は，図１１に示したサブフィールドの配列構造におけるＡＰＣレベル別のサブフィールド位置および発光中心位置を示した図面であり，（ａ）はＡＰＣレベルが最少である場合であり，（ｂ）はＡＰＣレベルが増加して一定の基準値（ｔｈｒｅｓｈｏｌｄ）以下である場合であり，（ｃ）は一定の基準値（ｔｈｒｅｓｈｏｌｄ）以上である場合である。
【００８０】
図１１のようなサブフィールドの配列構造の場合にも，最少加重値（加重値１，加重値２）を有するサブフィールドが隣接するため，低階調で疑似輪郭が発生する可能性が小さい。ただし，この場合にも，発光中心位置が周期的ではなくてフリッカーが発生するので，本発明の第３実施形態のような方法を用いてフリッカーの発生を低減することができる。
【００８１】
図１０に示したように，図１１の（ａ）のＡＰＣレベルが最少である場合には休止期間（休止期間１３，１４，１５）の変化がないため，図１２の（ｂ）のように各グループ間の発光中心位置が非周期的（つまり，ＴＩＭＥＧ１Ｇ２>ＴＩＭＥＧ２Ｇ１）である。
【００８２】
ここで，ＡＰＣレベルが次第に増加すると，第１グループのサブフィールドの終了位置および第２グループのサブフィールドの開始位置が固定される。従って，図１１の（ｂ）のようにＡＰＣレベルが増加する場合には，第１グループの開始時点に位置する休止期間（休止期間１８）が次第に増加し，第２グループの終了時点に位置する休止期間（休止期間１７）も次第に増加する。これによって，第１グループの発光中心位置と第２グループの発光中心位置との間の時間間隔（ＴＩＭＥ
Ｇ１Ｇ２）が次第に近くなって，第２グループの発光中心位置と次のフレームの第１グループの発光中心位置との間の感覚（ＴＩＭＥ Ｇ２Ｇ１）が次第に遠くなる。つまり，ＡＰＣレベルが次第に増加するのに応じて各グループ間の発光中心位置が周期的に変動する。この時，ＡＰＣレベルが共に増加する休止期間１７および休止期間１８の増加は，各グループ間の発光中心位置が周期的に変動する時点で止める。このような地点は，ＡＰＣレベルが一定の基準値（ｔｈｒｅｓｈｏｌｄ）になる地点である。
【００８３】
続いて，ＡＰＣレベルが上記一定の基準値（ｔｈｒｅｓｈｏｌｄ）以上になる地点からは，図１１の（ｃ）のように第１グループのサブフィールドの終了位置が固定され，第２グループのサブフィールドの終了位置も固定される。従って，ＡＰＣレベルが増加するのに応じて第１グループの開始時点に位置する休止期間は次第に増加し，第２グループの開始時点に位置する休止期間も次第に増加する。これにより，各グループ間の発光中心位置（つまり，ＴＩＭＥ
Ｇ１Ｇ２，ＴＩＭＥ Ｇ２Ｇ１）はＡＰＣレベルが一定の基準値（ｔｈｒｅｓｈｏｌｄ）になる地点と同一に周期的である。つまり，図１２の（ｃ）に示したように，ＡＰＣレベルが増加するのに応じて各グループ間の発光中心位置は周期的な状態に維持され，休止期間だけが増加する。
【００８４】
上記本発明の第２実施形態および第３実施形態から分かるように，ＡＰＣレベルが一定の基準値（ｔｈｒｅｓｈｏｌｄ）以上になる地点からは，各グループ間の発光中心位置が周期的であるので，フリッカーの発生を著しく低減することができる。また，この場合は，最少加重値（加重値１，加重値２）を有するサブフィールドが隣接して位置するので，疑似輪郭の発生の低減効果も同時に得ることができる。
【００８５】
図１３は，本発明の実施形態によるプラズマディスプレイパネルの画像表示装置のブロック図である。
【００８６】
図１３に示されているように，本発明の実施形態によるＰＤＰの画像表示装置は，映像信号処理部１００，垂直周波数検出部２００，ガンマ補正および誤差拡散部３００，メモリ制御部４００，アドレス駆動部５００，ＡＰＣ部６００，サブフィールド可変範囲判断部７００，維持／走査パルス駆動制御部８００，および維持／走査パルス駆動部９００を含む。
【００８７】
映像信号処理部１００は，外部から入力される映像信号をデジタル化してデジタル映像データを生成する。
【００８８】
垂直周波数検出部２００は，映像信号処理部１００から出力されるデジタル映像データを分析し，入力される映像データが６０ＨｚのＮＴＳＣ信号であるか，または５０ＨｚのＰＡＬ信号であるかを判断し，その結果をデータスイッチ値としてデジタル映像データと共に出力する。
【００８９】
ガンマ補正および誤差拡散部３００は，垂直周波数検出部２００から出力されるデジタル映像データを受信して，ＰＤＰ特性に合うようにガンマ値を補正すると同時に表示誤差を周辺の画素に対し拡散処理して出力する。この時，垂直周波数検出部２００から出力される映像信号が５０Ｈｚまたは６０Ｈｚのうちのいずれの映像信号であるかを示すデータスイッチ値は，そのままメモリ制御部４００およびＡＰＣ部６００に出力される。
【００９０】
メモリ制御部４００は，ガンマ補正および誤差拡散部３００から出力されるデジタル映像データおよびデータスイッチ値を受信し，データスイッチ値によって５０Ｈｚ映像信号である場合および６０Ｈｚ映像信号である場合を分離して，入力されるデジタル映像データに対応するサブフィールドデータを生成する。
【００９１】
データスイッチ値が６０Ｈｚ映像信号を示す場合には，従来の一つのサブフィールドグループにサブフィールドデータを生成する方式で，デジタル映像データに対応するサブフィールドデータを生成する。
【００９２】
しかし，データスイッチ値が５０Ｈｚ映像信号を示す場合には，図５および図９の（ａ）に示されているように，二つのサブフィールドグループ（Ｇ１，Ｇ２）に分離し，第１グループＧ１には８つのサブフィールドが存在し，第２グループＧ２には６つのサブフィールドが存在するようにサブフィールドデータを生成する。このように生成されるサブフィールドデータは，メモリ入出力処理されてアドレス駆動部５００に出力される。
【００９３】
アドレス駆動部５００は，メモリ制御部４００から出力されるサブフィールドデータに対応するアドレスデータを生成してＰＤＰ１０００のアドレス電極（Ａ１，Ａ２，..Ａｍ）に印加する。
【００９４】
一方，ＡＰＣ部６００は，ガンマ補正および誤差拡散部３００から出力されるデジタル映像データを用いて負荷率を検出し，検出された負荷率によってＡＰＣレベルを計算して，計算されたＡＰＣレベルに対応する維持放電パルス数などを算出して出力する。
【００９５】
サブフィールド可変範囲判断部７００は，ＡＰＣ部８００から出力される負荷率によって各サブフィールドの可変範囲を判断し，判断された可変範囲内で各サブフィールドの開始位置を決定する。この時，サブフィールド可変範囲判断部７００は，負荷率によって（ＡＰＣレベル）図９または図１１のような位置に各サブフィールドの開始位置を決定する。
【００９６】
維持／走査パルス駆動制御部８００は，サブフィールド可変範囲判断部７００から出力されるサステインパルス数，各サブフィールドの開始位置，およびデータスイッチ値を受信して，データスイッチ値によって５０Ｈｚ映像信号である場合および６０Ｈｚ映像信号である場合を分離し，各々サブフィールドの配列構造を生成して維持／走査パルス駆動部９００に出力する。
【００９７】
維持／走査パルス駆動部９００は，維持／走査パルス駆動制御部８００から出力されるサブフィールドの配列構造に基づくサステインパルスおよび走査パルスを生成して，ＰＤＰ１０００の走査電極（Ｘ１，Ｘ２，..Ｘｎ）および維持電極（Ｙ１，Ｙ２，..Ｙｎ）に印加する。
【００９８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００９９】
本発明は，プラズマディスプレイパネル（ＰＤＰ）の画像表示方法およびその装置に適用可能である。
【図面の簡単な説明】
【０１００】
【図１】従来のサブフィールドの配列構造を示した図面である。
【図２】従来のサブフィールドの配列構造を利用一部の低階調を表現した例を示した図面である。
【図３】従来のサブフィールドの配列構造において隣接階調が４および３である場合であって，画像が移動する時に発生する疑似輪郭発生の概略図である。
【図４】従来のＰＤＰのサブフィールドの配列構造におけるＡＰＣレベル別のサブフィールド位置および発光中心位置を示した図面である。
【図５】本発明の第１実施形態によるサブフィールドの配列構造を示した図面である。
【図６】本発明の第１実施形態によるサブフィールドの配列構造を利用して一部の低階調を表現した例を示した図面である。
【図７】本発明の第１実施形態によるサブフィールドの配列構造において隣接階調が４および３である場合に画像が移動する時に発生する疑似輪郭のを表す概略図である。
【図８】図５に示されたサブフィールドの配列構造におけるＡＰＣレベル別のサブフィールド位置および発光中心位置を示した図面である。
【図９】本発明の第２実施形態によるサブフィールドの配列構造を示した図面である。
【図１０】図９に示したサブフィールドの配列構造におけるＡＰＣレベル別のサブフィールド位置および発光中心位置を示した図面である。
【図１１】本発明の第３実施形態によるサブフィールドの配列構造を示した図面である。
【図１２】図１１に示したサブフィールドの配列構造におけるＡＰＣレベル別のサブフィールド位置および発光中心位置を示した図面である。
【図１３】本発明の実施形態によるＰＤＰの画像表示装置のブロック図である。
【符号の説明】
【０１０１】
１００  映像信号処理部
２００  垂直周波数検出部
３００  ガンマ補正および誤差拡散部
４００  メモリ制御部
５００  アドレス駆動部
６００  ＡＰＣ部
７００  サブフィールド可変範囲判断部
８００  維持／走査パルス駆動制御部
９００  維持／走査パルス駆動部
【図１】
2005107544.tif 000003
【図２】
2005107544.tif 000004
【図３】
2005107544.tif 000005
【図４】
2005107544.tif 000006
【図５】
2005107544.tif 000007
【図６】
2005107544.tif 000008
【図７】
2005107544.tif 000009
【図８】
2005107544.tif 000010
【図９】
2005107544.tif 000011
【図１０】
2005107544.tif 000012
【図１１】
2005107544.tif 000013
【図１２】
2005107544.tif 000014
【図１３】
2005107544.tif 000015